(57)【要約】【課題】  本発明は大型車両の乗り入れ部分には保水等のブロック層のブロックの前後方向の移動を目地スペーサーを用いて阻止するとともに、植栽用目地部を遮断することなく、植物の栽培スペースを確保することができる緑化舗装路および緑化舗装路用目地スペーサーを得るにある。【解決手段】  路床の上面に形成した路盤層と、この路盤層の上面に砂を用いて形成したサンドクッション層と、このサンドクッション層の上面に稙栽用目地部が形成できかつ車の走行ができるように合成樹脂材製の敷設用目地スペーサーを介して保水等のブロックを敷設した保水等のブロック層と、この保水等のブロック層の左右方向の稙栽用目地部に該目地部を完全に遮断することなくブロックの両端部寄りの部位に設けられた該保水等のブロック層のブロックの前後方向の移動を阻止する目地スペーサーと、保水等のブロック層の稙栽用目地部に充填された栽培土および該栽培土に植えられた芝等の植物とからなる緑化層とで緑化舗装路を構成している。【選択図】  図２
2006009480.tif 000002
【特許請求の範囲】
【請求項１】
路床の上面に形成した路盤層と、この路盤層の上面に砂を用いて形成したサンドクッション層と、このサンドクッション層の上面に稙栽用目地部が形成でき、かつ車の走行ができるように合成樹脂材製の敷設用目地スペーサーを介して保水等のブロックを敷設した保水等のブロック層と、この保水等のブロック層の左右方向の稙栽用目地部に、該目地部を完全に遮断することなくブロックの両端部寄りの部位に設けられた、該保水等のブロック層のブロックの前後方向の移動を阻止する目地スペーサーと、前記保水等のブロック層の稙栽用目地部に充填された栽培土および該栽培土に植えられた芝等の植物とからなる緑化層とを備えることを特徴とする緑化舗装路。
【請求項２】
路床の上面に形成した保水性土壌を用いた路盤層と、この路盤層に所定量の水を貯水できるように設けられた多数個の貯水容器あるいは防水シートを容器状に配置した貯水手段と、前記路盤層の上面に砂を用いて形成したサンドクッション層と、このサンドクッション層の上面に稙栽用目地部が形成でき、かつ車の走行ができるように合成樹脂材製の敷設用目地スペーサーを介して保水等のブロックを敷設した保水等のブロック層と、この保水等のブロック層の左右方向の稙栽用目地部に、該目地部を完全に遮断することなくブロックの両端部寄りの部位に設けられた、該保水等のブロック層のブロックの前後方向の移動を阻止する目地スペーサーと、前記保水等のブロック層の稙栽用目地部に充填された栽培土および該栽培土に植えられた芝等の植物とからなる緑化層とを備えることを特徴とする緑化舗装路。
【請求項３】
保水等のブロック層の左右方向の植栽用目地部を完全に遮断することなく、ブロックの両端部寄りの部位の上部に介装位置させることができ、ブロックの前後方向の移動を阻止する目地スぺーサー本体と、この目地スぺーサー本体の下部に形成された、前記保水等のブロック層の敷設用目地スペーサーの左右方向の植栽用目地部を保つ支持片に着脱可能に取付けられる係合部とからなることを特徴とする緑化舗装路用目地スペーサー。
【請求項４】
保水等のブロック層の左右方向の植栽用目地部を完全に遮断することなく、ブロックの両端部寄りの部位の上部に介装位置させることができる柱状、アングル状、Ｉ形鋼形状等のブロックの前後方向の移動を阻止する目地スペーサー本体と、この目地スペーサー本体をブロックの両端部寄りの部位の上部に位置させる脚部材とからなることを特徴とする緑化舗装路用目地スペーサー。
【発明の詳細な説明】
【技術分野】
【０００１】
本発明は一般車両や消防自動車等の大型車両の駐車場、工場構内の通路、遊歩道、公園園路等に使用することができる緑化舗装路および緑化舗装路用目地スペーサーに関する。
【背景技術】
【０００２】
従来の緑化舗装路は路床の上面に、土壌改良剤を混合した黒土を用いた路盤層と、この路盤層の上面に砂を用いて形成したサンドクッション層と、このサンドクッション層の上面に植栽用目地部を形成できるように合成樹脂材製の敷設用目地スペーサーを介して保水ブロックを敷設した保水ブロック層と、この保水ブロック層の植栽用目地部に充填された栽培土および、該栽培土に植えられた芝等の植物とで構成されている。
【０００３】
このため、消防自動車等の大型車両が乗り入れ急停止や急発進を行なうと、敷設用目地スペーサーでは保水ブロックの位置決め状態を保持することができず、上面側が隣り合う保水ブロック方向へ移動して、植栽用目地部を壊し、植物を損傷させるという欠点があった。
この欠点を解消するために、大型車両の乗り入れ部分に敷設用目地スペーサーを保水ブロックが移動できないように強固な構造にすることも考えられるが、強固な敷設用目地スペーサーはコスト高になるとともに、強固な敷設用目地スペーサーと敷設用目地スペーサーとを用いた敷設作業や保管管理等が面倒で、設置コスト高になるという欠点があった。
【特許文献１】特になし
【発明の開示】
【発明が解決しようとする課題】
【０００４】
本発明は以上のような従来の欠点に鑑み、大型車両の乗り入れ部分には保水等のブロック層のブロックの前後方向の移動を目地スペーサーを用いて阻止するとともに、植栽用目地部を遮断することなく、植物の栽培スペースを確保することができる緑化舗装路および緑化舗装路用目地スペーサーを提供することを目的としている。
【０００５】
また、本発明は降雨時に路盤層に所定量の水を貯水して、晴天が続いても潅水することなく植物を育成することができ、植物の育成に手数がかからず、維持管理費も著しく低減させることができる、車の走行が可能な緑化舗装路および緑化舗装路用目地スペーサーを提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は路床の上面に形成した路盤層と、この路盤層の上面に砂を用いて形成したサンドクッション層と、このサンドクッション層の上面に稙栽用目地部が形成でき、かつ車の走行ができるように合成樹脂材製の敷設用目地スペーサーを介して保水等のブロックを敷設した保水等のブロック層と、この保水等のブロック層の左右方向の稙栽用目地部に、該目地部を完全に遮断することなくブロックの両端部寄りの部位に設けられた、該保水等のブロック層のブロックの前後方向の移動を阻止する目地スペーサーと、前記保水等のブロック層の稙栽用目地部に充填された栽培土および該栽培土に植えられた芝等の植物とからなる緑化層とで緑化舗装路を構成している。
【０００８】
本発明は路床の上面に形成した保水性土壌を用いた路盤層と、この路盤層に所定量の水を貯水できるように設けられた多数個の貯水容器あるいは防水シートを容器状に配置した貯水手段と、前記路盤層の上面に砂を用いて形成したサンドクッション層と、このサンドクッション層の上面に稙栽用目地部が形成でき、かつ車の走行ができるように合成樹脂材製の敷設用目地スペーサーを介して保水等のブロックを敷設した保水等のブロック層と、この保水等のブロック層の左右方向の稙栽用目地部に、該目地部を完全に遮断することなくブロックの両端部寄りの部位に設けられた、該保水等のブロック層のブロックの前後方向の移動を阻止する目地スペーサーと、前記保水等のブロック層の稙栽用目地部に充填された栽培土および該栽培土に植えられた芝等の植物とからなる緑化層とで緑化舗装路を構成している。
【０００９】
本発明は保水等のブロック層の左右方向の植栽用目地部を完全に遮断することなく、ブロックの両端部寄りの部位の上部に介装位置させることができ、ブロックの前後方向の移動を阻止する目地スぺーサー本体と、この目地スぺーサー本体の下部に形成された、前記保水等のブロック層の敷設用目地スペーサーの左右方向の植栽用目地部を保つ支持片に着脱可能に取付けられる係合部とで緑化舗装路用スペーサーを構成している。
【００１０】
本発明は保水等のブロック層の左右方向の植栽用目地部を完全に遮断することなく、ブロックの両端部寄りの部位の上部に介装位置させることができる柱状、アングル状、Ｉ形鋼形状等のブロックの前後方向の移動を阻止する目地スペーサー本体と、この目地スペーサー本体をブロックの両端部寄りの部位の上部に位置させる脚部材とで緑化舗装路用スペーサーを構成している。
【発明の効果】
【００１１】
以上の説明から明らかなように、本発明にあっては次に列挙する効果が得られる。
【００１２】
（１）保水等のブロック層の左右方向の植栽用目地部に、該目地部を遮断することなくブロックの両端部寄りの部位に、該保水等のブロック層のブロックの前後方向の移動を阻止する目地スペーサーを設けたので、消防自動車等の大型車両が乗り入れて急停止や急発進をしても、保水等のブロック層のブロックが移動するのを阻止することができる。
したがって、大型車両が乗り入れても保水等のブロック層の移動を阻止して、植栽用目地部の植物の損傷を効率よく防止することができる。
【００１３】
（２）前記（１）によって、大型車両が乗り入れる部位にだけ目地スペーサーを設けるだけでよいので、保水等のブロック層の設置は容易で、楽に行なうことができる。
【００１４】
（３）敷設用目地スペーサーを介して保水等のブロックを敷設しているので、小型車両であれば走行しても、保水等のブロックの移動を阻止して、敷設状態を保つことができる。
したがって、維持管理が容易で、安価に行なうことができる。
【００１５】
（４）請求項２は前記（１）〜（３）と同様な効果が得られるとともに、路盤層に所定量の水を貯水できるように設けられた多数個の貯水容器あるいは防水シートを容器状に配置した貯水手段によって、降雨時に路盤層の貯水手段に所定量の水を貯水することができる。
したがって、晴天が続いても貯水手段で貯水された水を植物に供給でき、植物が枯れるのを効率よく防止することができる。
【００１６】
（５）前記（４）により、路盤層を保水性土壌を用いているので、路盤層を形成する保水性土壌に水を保水させておくことができる。
したがって、植物の育成に必要な水分を十分に確保することができ、潅水を行なうことなく植物を育成することができる。
【００１７】
（６）請求項３、４も前記（１）〜（３）と同様な効果が得られる。
【発明を実施するための最良の形態】
【００１８】
以下、図面に示す本発明を実施するための最良の形態により、本発明を詳細に説明する。
【００１９】
図１ないし図１１に示す本発明を実施するための最良の第１の形態において、１は屋外の乗用車専用や一般の車両の駐車場として使用される部位に設置された本発明の緑化舗装路で、この緑化舗装路１は路床２の上面に多孔質礫状人工土壌３や従来の砕石等の路盤材を用いて、厚さが１００ｍｍ〜３００ｍｍとなるように形成した路盤層４と、この路盤層４に必要に応じて所定量の水を貯水できるように、前記路床２上に並列配置された貯水手段としての多数個の貯水容器５と、前記路盤層４の上面に必要に応じて敷設される分離機能として作用する不織布２８を介して設置された保水剤６を含む砂７を用いて、厚さが２０ｍｍ〜３０ｍｍとなるように形成されたサンドクッション層８と、このサンドクッション層８の上面に、例えば５０ｍｍの植栽用目地部９が形成でき、かつ車の走行ができるように敷設用目地スペーサー１０を介して、例えば１００ｍｍ×２００ｍｍで、厚さ寸法が８０ｍｍの保水機能を有するもの、あるいは保水機能を持たない保水等のブロック１１を敷設した保水等のブロック層１２と、この保水等のブロック層１２の消防自動車等の大型車両が乗り入れる部位の左右方向（ブロック１１の長手方向）の植栽用目地部９に、該目地部９を完全に遮断することなく、ブロック１１の両端部寄りの部位に設けられた、該保水等のブロック層１２のブロック１１の前後方向の移動を阻止する目地スペーサー２９、２９と、前記保水等のブロック層１２の植栽用目地部９に充填された栽培土１３および該栽培土１３に植えられた芝等の植物１４とからなる緑化層１５とで構成されている。
【００２０】
前記貯水手段としての多数個の貯水容器５は、図５および図６に示すように角部を傾斜面に形成した合成樹脂材製の四角形状の、高さ寸法が５０ｍｍ〜１００ｍｍの貯水容器本体１６と、この貯水容器本体１６の底面中央部に一体形成されたチャンネル状の位置決め部材１７と、前記貯水容器本体１６の前記位置決め部材１７を除く部位の底面に一体形成された格子状の補強壁１８と、前記貯水容器本体１６を前後左右方向に上下方向より接続できるように外壁面１６ａ、１６ａ、１６ａ、１６ａにそれぞれ形成された複数個の係合片１９および係合凹部２０とで構成されている。
【００２１】
前記敷設用目地スペーサー１０は合成樹脂材で形成されたもので、図７ないし図９に示すようにベース板２１と、このベース板２１の一端部の保水ブロック支持部２２を除く部位に、保水等のブロック１１の高さ寸法のほぼ４分の３の高さとなるように突出する一対の側面支持片２３、２３と、この一対の側面支持片２３、２３と植栽用目地部９を介した部位の、前記ベース板２１に保水等のブロック１１、１１の角部の側面を支持できるように、該一対の側面支持片２３、２３と同じ高さに突出形成された角部支持片２４、２４と、前記ベース板２１の他端部の両側部を除く部位で植栽用目地部９を維持できるように、前記角部支持片２４、２４と同じ高さに上方へ突出形成された保水等のブロック１１、１１の端面を支持する端面支持片２５、２５とで構成されている。
【００２２】
前記目地スペーサー２９は合成樹脂材で形成されたもので、図１０および図１１に示すように、前記ブロック１１、１１の両端部寄りの部位の上部に介装させることができる、該ブロック１１、１１の前後方向の移動を阻止する四角柱状の目地スペーサー本体３０と、この目地スペーサー本体３０の下部に前記植栽用目地部９を塞ぐことなく一体形成された、前記敷設用目地スペーサー１０の左右方向の植栽用目地部９を保つ支持片２３、２４を着脱可能に支持されるように取付けることができる係合部３１とで構成されている。
【００２３】
上記構成の緑化舗装路１は、敷設された保水等のブロック１１の周囲には５０ｍｍの植栽用目地部９および緑化層１５が形成されるが、敷設された各保水等のブロック１１は敷設用目地スペーサー１０の側面支持片２３、２３、角部支持片２４、２４および端面支持片２５、２５によって、側面、角部および端面が位置決めされるとともに、ベース板２１上に支持されるため、乗用車が走行しても敷設された保水等のブロック１１が沈下したり、前後方向に移動するのを確実に阻止することができる。
また、消防自動車等の大型車両が乗り入れられる部位の敷設用目地スペーサー１０の両端部の支持片２３、２４に係合部３１を係合させるだけで、目地スペーサー２９、２９を取付けることができ、該目地スペーサー２９、２９で大型車両が乗り入れ、急停止や急発進しても保水等のブロック１１、１１の表面側に大きな力が作用するが、前後方向の移動を目地スペーサー本体３０で確実に阻止することができる。
【００２４】
また、植栽用目地部９に設けられた緑化層１５の植物１４の根は、目地スペーサー２９によってその移動を阻止されることなく、サンドクッション層８、路盤層４へ伸び、サンドクッション層８の保水剤６に含まれている水や、路盤層４の多孔質礫状人工土壌３に含まれている水および貯水手段としての貯水容器５内に貯水された水で育成される。
[発明を実施するための異なる形態]
【００２５】
次に、図１２ないし図２８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２６】
図１２ないし図１５に示す本発明を実施するための第２の形態において、前記
本発明を実施するための最良の第１の形態と主に異なる点は、砂７だけを用いたサンドクッション層８Ａと、保水剤６が混合された土壌や保水機能を有する土壌３Ａを使用した路盤層４Ａとを用いるとともに、板状の目地スペーサー本体３０Ａと、この目地スペーサー本体３０Ａの一端部より支持片２３、２４の肉厚寸法分だけ小さく、ほぼ直角方向の下方へ突出させた逆凹状の敷設用目地スペーサー１０の両端部に係止できる係合部３１Ａとからなる目地スペーサー２９Ａを用いた点で、このように構成した緑化舗装路１Ａにしても、前記本発明を実施するための最良の第１の形態と同様な作用効果が得られる。
【００２７】
図１６ないし図１９に示す本発明を実施するための第３の形態において、前記本発明を実施するための最良の第１の形態と主に異なる点は、防水シート２６を容器状となるように路盤層４に配置した貯水手段２７を用いるとともに、Ｉ形鋼形状の目地スペーサー本体３０Ｂと、この目地スペーサー本体３０Ｂの両端部の底面に敷設用目地スペーサー１０の両端部に形成された支持片２３、２４内に弾性的に挿入される一対の係合部３１Ｂ、３１Ｂとからなる目地スペーサー２９Ｂを用いた点で、このような貯水手段２７や目地スペーサー２９Ｂを用いて構成した緑化舗装路１Ｂにしても、前記本発明を実施するための最良の第１の形態と同様な作用効果が得られる。
【００２８】
図２０ないし図２２に示す本発明を実施するための第４の形態において、前記本発明を実施するための最良の第１の形態と主に異なる点は、敷設用目地スペーサー１０の両端部に位置されるアングル状の一対の目地スペーサー本体３０Ｃ、３０Ｃと、この一対の目地スペーサー本体３０Ｃ、３０Ｃの両端部寄りの部位を接続し、敷設用目地スペーサー１０の支持片２３、２４に支持される脚部材としての一対のバー部材３２、３２とからなる目地スペーサー２９Ｃを用いた点で、このような目地スペーサー２９Ｃを用いて構成した緑化舗装路１Ｃにしても、前記本発明を実施するための最良の第１の形態と同様な作用効果が得られる。
【００２９】
図２３ないし図２５に示す本発明を実施するための第５の形態において、前記本発明を実施するための最良の第１の形態と主に異なる点は、敷設用目地スペーサー１０の両端部の保水等のブロック１１、１１の両端部寄りの部位間に位置される角柱状の目地スペーサー本体３０と、この目地スペーサー本体３０の両端部より中央部に逆Ｕ字状の透孔３３が形成されるように下方へ突出させた脚部材３４とからなる目地スペーサー２９Ｄを用いた点で、このような目地スペーサー２９Ｄを用いて構成した緑化舗装路１Ｄしても、前記本発明を実施するための最良の第１の形態と同様な作用効果が得られる。
【００３０】
図２６ないし図２８に示す本発明を実施するための第６の形態において、前記本発明を実施するための第５の形態と主に異なる点は、板状の目地スペーサー本体３０Ｄと、この目地スペーサー本体３０Ｄの一端部より中央部に逆Ｕ字状の透孔３３が形成されるように、ほぼ直角方向の下方へ突出するように一体形成された脚部材３４とからなる目地スペーサー２９Ｅを用いた点で、このような目地スペーサー２９Ｅを用いて構成した緑化舗装路１Ｅにしても、前記本発明を実施するための第５の形態と同様な作用効果が得られる。
【００３１】
なお、前記本発明の各実施の形態では目地スペーサー本体をＸ字状、Ｉ形鋼形状、筒状、格子状等、保水等のブロック１１、１１の両端部寄りの部位の植栽用目地部９が保水等のブロック１１、１１に大きな力が加わっても狭くならないような形状であれば、どんな形状を用いてもよい。
また、前記本発明の各実施の形態では保水等のブロック１１として、保水性を有するものを使用するのはもちろんであるが、コンクリートブロック、天然石で形成されたブロック、敷設用目地スペーサーを一体形成した合成樹脂材製の保水等のブロックを使用してもよい。
さらに、前記本発明の各実施の形態では合成樹脂材製の目地スぺーサーを用いるものについて説明したが、本発明はこれに限らず、金属材、木材、コンクリート、石材等で形成したものを用いてもよい。
【産業上の利用可能性】
【００３２】
本発明は緑化舗装路を設置する産業や、緑化舗装路用目地スペーサーを製造する産業で利用される。
【図面の簡単な説明】
【００３３】
【図１】本発明を実施するための最良の第１の形態の平面図。
【図２】図１の２−２線に沿う断面図。
【図３】本発明を実施するための最良の第１の形態の路盤層の説明図。
【図４】本発明を実施するための最良の第１の形態の保水等のブロック層の説明図。
【図５】本発明を実施するための最良の第１の形態の貯水容器の平面図。
【図６】図５の６−６線に沿う断面図。
【図７】本発明を実施するための最良の第１の形態の敷設用目地スペーサーの平面図。
【図８】本発明を実施するための最良の第１の形態の敷設用目地スペーサーの側面図。
【図９】本発明を実施するための最良の第１の形態の敷設用目地スペーサーの正面図。
【図１０】本発明を実施するための最良の第１の形態の目地スペーサーの斜視図。
【図１１】本発明を実施するための最良の第１の形態の目地スペーサーを逆にした斜視図。
【図１２】本発明を実施するための第２の形態の平面図。
【図１３】図１２の１３−１３線に沿う断面図。
【図１４】本発明を実施するための第２の形態の路盤層の説明図。
【図１５】本発明を実施するための第２の形態の目地スペーサーの斜視図。
【図１６】本発明を実施するための第３の形態の平面図。
【図１７】図１６の１７−１７線に沿う断面図。
【図１８】本発明を実施するための第３の形態の貯水容器の説明図。
【図１９】本発明を実施するための第３の形態の目地スペーサーの斜視図。
【図２０】本発明を実施するための第４の形態の平面図。
【図２１】図２０の２１−２１線に沿う断面図。
【図２２】本発明を実施するための第４の形態の目地スペーサーの斜視図。
【図２３】本発明を実施するための第５の形態の平面図。
【図２４】図２３の２４−２４線に沿う断面図。
【図２５】本発明を実施するための第５の形態の目地スペーサーの斜視図。
【図２６】本発明を実施するための第６の形態の平面図。
【図２７】図２６の２７−２７線に沿う断面図。
【図２８】本発明を実施するための第６の形態の目地スペーサーの斜視図。
【符号の説明】
【００３４】
１、１Ａ、１Ｂ、１Ｃ、１Ｄ、１Ｅ：緑化舗装路、
２：路床、                        ３：多孔質礫状人工土壌、
３Ａ：保水機能を有する土壌、  ４、４Ａ：路盤層、                                    
５：貯水手段としての貯水容器、６：保水剤、                                                
７：砂、                                            ８、８Ａ：サンドクッション層、            
９：植栽用目地部、                                    １０：敷設用目地スペーサー、    
１１：保水等のブロック、                        １２：保水等のブロック層、        
１３：栽培土、                                １４：芝等の植物、                                    
１５：緑化層、                                １６：貯水容器本体、                    
１７：位置決め部材、                    １８：補強壁、                                
１９：係合片、                                ２０：係合凹部、                            
２１：ベース板、                            ２２：保水ブロック支持部、        
２３：側面支持片、                                    ２４：角部支持片、                                    
２５：端面支持片、                                    ２６：防水シート、                                    
２７：貯水手段、                            ２８：不織布、                                
２９、２９Ａ、２９Ｂ、２９Ｃ、２９Ｄ、２９Ｅ：目地スペーサー、
３０、３０Ａ、３０Ｂ、３０Ｃ、３０Ｄ：目地スぺーサー本体、
３１、３１Ａ、３１Ｂ：係合部、
３２：バー部材、                            ３３：透孔、
３４：脚部材。
【図１】
2006009480.tif 000003
【図２】
2006009480.tif 000004
【図３】
2006009480.tif 000005
【図４】
2006009480.tif 000006
【図５】
2006009480.tif 000007
【図６】
2006009480.tif 000008
【図７】
2006009480.tif 000009
【図８】
2006009480.tif 000010
【図９】
2006009480.tif 000011
【図１０】
2006009480.tif 000012
【図１１】
2006009480.tif 000013
【図１２】
2006009480.tif 000014
【図１３】
2006009480.tif 000015
【図１４】
2006009480.tif 000016
【図１５】
2006009480.tif 000017
【図１６】
2006009480.tif 000018
【図１７】
2006009480.tif 000019
【図１８】
2006009480.tif 000020
【図１９】
2006009480.tif 000021
【図２０】
2006009480.tif 000022
【図２１】
2006009480.tif 000023
【図２２】
2006009480.tif 000024
【図２３】
2006009480.tif 000025
【図２４】
2006009480.tif 000026
【図２５】
2006009480.tif 000027
【図２６】
2006009480.tif 000028
【図２７】
2006009480.tif 000029
【図２８】
2006009480.tif 000030